(57)【特許請求の範囲】
【請求項１】
引戸の戸先側若しくは戸尻側の端部上面又は引戸の上部が係合する上枠の引戸開閉方向端部に取り付けられ、引戸開閉方向に延びて引戸幅方向に離間した一対のブレーキ板と、
前記引戸の上部が係合する上枠の引戸開閉方向端部又は前記引戸の戸先側若しくは戸尻側の端部上面に取り付けられ、前記引戸を閉め切る際又は開け切る際に前記ブレーキ板の内面と摺動する摺動部を有するブレーキ体とを備え、
前記ブレーキ体を、基体と、引戸幅方向に分離した部分を少なくとも前記基体側に有する、前記基体に対して引戸開閉方向にスライド可能なスライド体とにより構成し、前記スライド体の引戸幅方向外面に前記摺動部を形成するとともに、前記スライド体の前記基体側端面に引戸幅方向外方へ行くにしたがって前記基体に近づく一対の傾斜面を形成し、前記基体の前記スライド体側端面に前記スライド体の傾斜面に当接する一対の傾斜面を形成してなり、
前記基体に対して前記スライド体が引戸開閉方向にスライドしてこれらが離間した状態で、前記引戸を閉め切る際又は開け切る際には、前記ブレーキ板の内面に前記スライド体が挟まれて前記スライド体が前記ブレーキ板とともに移動して前記スライド体の傾斜面が前記基体の傾斜面により当て止めされ、
この状態から前記引戸を前記閉め切る方向又は開け切る方向と逆方向に動かす際には、前記ブレーキ板の内面に挟まれた前記スライド体が前記基体に対して相対的に引戸開閉方向にスライドして前記基体から離間した状態となることを特徴とする引戸用ブレーキ装置。
【請求項２】
前記スライド体の傾斜面に沿う水平方向と引戸開閉方向とがなす角度を約４５°としてなる請求項１記載の引戸用ブレーキ装置。
【請求項３】
前記基体の一対の傾斜面の間に前記スライド体の前記引戸幅方向に分離した部分間に挿入される突部を形成してなる請求項１又は２記載の引戸用ブレーキ装置。
【請求項４】
前記一対のブレーキ板の内面に、それらの引戸幅方向の間隔が前記引戸を閉め切る際又は開け切る際に前記ブレーキ体に近い方が広くなるテーパ面を形成してなる請求項１〜３の何れか１項に記載の引戸用ブレーキ装置。
【請求項５】
前記スライド体の引戸幅方向に分離した部分の間隔を変えることにより制動力を調整する制動力調整手段を設けてなる請求項１〜４の何れか１項に記載の引戸用ブレーキ装置。
【発明の詳細な説明】
【技術分野】
【０００１】
本発明は、引戸を閉め切る際又は開け切る際には摩擦抵抗力を増大させて制動し、引戸を閉め切る方向又は開け切る方向と逆方向に動かす際には摩擦抵抗力を減少させて軽く移動させるように構成した引戸用ブレーキ装置に関するものである。
【背景技術】
【０００２】
引戸開閉の操作力が必要以上に大きく、引戸移動の勢いが強すぎると、引戸が枠体に当たって騒音がしたり、引戸が跳ね返って開いてしまうことから、引戸を閉め切る際又は開け切る際には摩擦抵抗力を増大させて制動し、引戸を閉め切る方向又は開け切る方向と逆方向に動かす際には摩擦抵抗力を減少させて軽く移動させるように構成した引戸用ブレーキ装置がある（例えば、特許文献１及び２参照。）。
特許文献１の引戸用ブレーキ装置は、鴨居の案内溝に装着され、引戸の移動方向に沿った長手部材にて形成し、摩擦面となるほぼ平行な２面を具備する制動部材と、引戸の上部に装着され、制動部材の摩擦面を挟んで当接摺動でき、引戸の移動中に制動部材との当接摺動により摩擦抵抗力を発生させる摺動部材を具備する当接部材とによって構成され、当接部材は、断面Ｌ字状に形成された２つの板状部材からなり、板状部材の垂直部分に設けた摺動部材を対向配置させるとともに、水平部分を重ね合わせて配置し、水平部分には引戸の移動方向に対して斜め方向に形成した貫通孔を、水平部分を重ねた状態で互いにクロスするように形成して、両貫通孔に遊嵌させた取付ネジを設けており、当接部材は、制動部材との当接摺動の際の摩擦抵抗力によって、引戸の一方向への移動時には、摺動部材間の間隔が狭くなるようにずれ、引戸の逆方向への移動時には、摺動部材間の間隔が広くなるようにずれるよう構成したものである。
また、特許文献２の引戸用ブレーキ装置は、引戸上部の走行方向両端部に、案内レールの内部に収容される箱形に形成された制動部材受を取り付け、引戸が当接するストッパと反対側に配置された制動部材受と接触して引戸がストッパに当接する前に引戸の走行速度を減速する制動部材を引戸の上部の前後方向への移動を規制するガイド部材に取り付け、制動部材に、ガイド部材のケーシングのケーシング本体から露出して制動部材受の外枠材のキャッチ板に当接される１対の小駒状の制動板と、制動板を支持する角度が逆の２つの支持面と、支持面に開口され制動板を抜止め係止させるとともに支持面に沿って少しのスライドを許容する取付窓と、ガイド部材のケーシングのケーシング本体の内部に収容されて両制動板の間に引張力を付与して掛け渡されたコイルスプリングとを備えてなるものである。
【先行技術文献】
【特許文献】
【０００３】
【特許文献１】特許第３４２３１８０号公報
【特許文献２】特開２００８−６３７６８号公報
【発明の概要】
【発明が解決しようとする課題】
【０００４】
特許文献１の引戸用ブレーキ装置は、その当接部材が、断面Ｌ字状に形成された２つの板状部材の水平部分を重ね合わせて配置し、水平部分には引戸の移動方向に対して斜め方向に形成した貫通孔を、水平部分を重ねた状態で互いにクロスするように形成して、両貫通孔に遊嵌させた取付ネジを設け、垂直部分には引戸の移動中に制動部材との当接摺動により摩擦抵抗力を発生させる摺動部材を保持させ、制動部材との当接摺動の際の摩擦抵抗力によって、引戸の一方向への移動時には、摺動部材間の間隔が狭くなるようにずれ、引戸の逆方向への移動時には、摺動部材間の間隔が広くなるようにずれるよう構成されており、部品点数が比較的多いこと等から製造コストが増大する。
また、特許文献２の引戸用ブレーキ装置は、その制動部材が、ガイド部材のケーシングのケーシング本体から露出して制動部材受の外枠材のキャッチ板に当接される１対の小駒状の制動板と、制動板を支持する角度が逆の２つの支持面と、支持面に開口され制動板を抜止め係止させるとともに支持面に沿って少しのスライドを許容する取付窓と、ガイド部材のケーシングのケーシング本体の内部に収容されて両制動板の間に引張力を付与して掛け渡されたコイルスプリングとを備えてなるものであり、部品点数が比較的多いこと等から製造コストが増大する。
【０００５】
そこで本発明が前述の状況に鑑み、解決しようとするところは、引戸を閉め切る際又は開け切る際には摩擦抵抗力を増大させて制動し、引戸を閉め切る方向又は開け切る方向と逆方向に動かす際には摩擦抵抗力を減少させて軽く移動させることができる構成でありながら、簡素な構成により製造コストを低減することができる引戸用ブレーキ装置を提供する点にある。
【課題を解決するための手段】
【０００６】
本発明に係る引戸用ブレーキ装置は、前記課題解決のために、引戸の戸先側若しくは戸尻側の端部上面又は引戸の上部が係合する上枠の引戸開閉方向端部に取り付けられ、引戸開閉方向に延びて引戸幅方向に離間した一対のブレーキ板と、前記引戸の上部が係合する上枠の引戸開閉方向端部又は前記引戸の戸先側若しくは戸尻側の端部上面に取り付けられ、前記引戸を閉め切る際又は開け切る際に前記ブレーキ板の内面と摺動する摺動部を有するブレーキ体とを備え、前記ブレーキ体を、基体と、引戸幅方向に分離した部分を少なくとも前記基体側に有する、前記基体に対して引戸開閉方向にスライド可能なスライド体とにより構成し、前記スライド体の引戸幅方向外面に前記摺動部を形成するとともに、前記スライド体の前記基体側端面に引戸幅方向外方へ行くにしたがって前記基体に近づく一対の傾斜面を形成し、前記基体の前記スライド体側端面に前記スライド体の傾斜面に当接する一対の傾斜面を形成してなり、前記基体に対して前記スライド体が引戸開閉方向にスライドしてこれらが離間した状態で、前記引戸を閉め切る際又は開け切る際には、前記ブレーキ板の内面に前記スライド体が挟まれて前記スライド体が前記ブレーキ板とともに移動して前記スライド体の傾斜面が前記基体の傾斜面により当て止めされ、この状態から前記引戸を前記閉め切る方向又は開け切る方向と逆方向に動かす際には、前記ブレーキ板の内面に挟まれた前記スライド体が前記基体に対して相対的に引戸開閉方向にスライドして前記基体から離間した状態となることを特徴とする。
【０００７】
このような構成によれば、ブレーキ体を、基体と基体に対して引戸開閉方向にスライド可能なスライド体とにより構成しており、スライド体の引戸幅方向外面にブレーキ板の内面と摺動する摺動部が形成され、スライド体の基体側には引戸幅方向外方へ行くにしたがって基体に近づく一対の傾斜面が形成されるとともに、基体のスライド体側端面にはスライド体の傾斜面に当接する一対の傾斜面が形成されている。
したがって、基体に対してスライド体が引戸開閉方向にスライドしてこれらが離間した状態で、引戸を閉め切る際又は開け切る際には、ブレーキ板の内面にスライド体が挟まれてスライド体がブレーキ板とともに移動してスライド体の傾斜面が基体の傾斜面により当て止めされ、引戸幅方向に分離しているスライド体の基体側部分には引戸幅方向外方への力が作用するため、摩擦抵抗力が増大して引戸は急制動される。
その上、引戸を閉め切った状態又は開け切った状態から逆方向に動かす際には、ブレーキ板の内面に挟まれたスライド体が基体に対して相対的に引戸開閉方向にスライドして基体から離間した状態となり、スライド体の基体側部分が引戸幅方向に分離していることから引戸幅方向へ弾性変形しやすいため、摩擦抵抗力が減少して引戸を軽快に移動させることができる。
その上さらに、引戸開閉方向に延びて引戸幅方向に離間した一対のブレーキ板と、基体、及び、基体に対して引戸開閉方向にスライド可能な、引戸幅方向外面に引戸を閉め切る際又は開け切る際にブレーキ板の内面と摺動する摺動部が形成されたスライド体からなる２ピース構造のブレーキ体とにより引戸用ブレーキ装置を構成していることから、構成が簡素であるため、製造コストを低減することができる。
【０００８】
ここで、前記スライド体の傾斜面に沿う水平方向と引戸開閉方向とがなす角度を約４５°としてなると好ましい。
このような構成によれば、引戸を閉め切る際又は開け切る際に、スライド体の傾斜面が基体の傾斜面により当て止めされ、引戸幅方向に分離しているスライド体の基体側部分に引戸幅方向外方への力を作用させて摩擦抵抗力が増大させ、引戸を急制動する機能を確保しながら、スライド体の傾斜面に沿う水平方向と引戸開閉方向とがなす角度が大きい場合に生じやすい、制動した引戸が引戸を閉め切る方向又は開け切る方向と反対の方向へ跳ね返る現象や、前記角度が小さい場合に生じやすい、引戸を閉めきった後又は開け切った後に引戸がじわじわと前記反対の方向へ移動する現象の発生を抑制することができる。
【０００９】
また、前記基体の一対の傾斜面の間に前記スライド体の前記引戸幅方向に分離した部分間に挿入される突部を形成してなると好ましい。
このような構成によれば、スライド体の引戸幅方向に分離した部分間に突部が挿入された状態では、引戸幅方向に分離しているスライド体の基体側部分の引戸幅方向内方への移動が抑制されることから、スライド体の引戸幅方向外面に形成された摺動部とブレーキ板の内面との摺動による制動力の大きさ（ブレーキの利き）を確保することができる。
その上、スライド体の傾斜面が基体の傾斜面により当て止めされ、その衝突後にスライド体の傾斜面が基体の傾斜面から離れる方向に移動する力がスライド体に作用したとしても、その際におけるスライド体の移動を抑制する制動力が大きくなるため、スライド体とともに移動する引戸が縦枠から離れるのを抑制することができる。
【００１０】
さらに、前記一対のブレーキ板の内面に、それらの引戸幅方向の間隔が前記引戸を閉め切る際又は開け切る際に前記ブレーキ体に近い方が広くなるテーパ面を形成してなると好ましい。
このような構成によれば、一対のブレーキ板の内面に形成された、引戸幅方向の間隔が引戸を閉め切る際又は開け切る際にブレーキ体に近い方が広くなるテーパ面により、引戸に作用する制動力が徐々に大きくなるため、制動力をより大きくすることができるとともに、引戸を閉め切る際又は開け切る際に制動される引戸の動作がより円滑になる。
【００１１】
さらにまた、前記スライド体の引戸幅方向に分離した部分の間隔を変えることにより制動力を調整する制動力調整手段を設けてなると好ましい。
このような構成によれば、スライド体の引戸幅方向に分離した部分があることから、この分離した部分を押し広げることにより、スライド体の引戸幅方向に分離した部分の間隔を変えて制動力を調整することができるため、このようなスライド体の引戸幅方向に分離した部分の間隔を変えることにより制動力を調整する制動力調整手段を設けることにより、制動力の調整を容易に行うことができる。
【発明の効果】
【００１２】
以上のように、本発明に係る引戸用ブレーキ装置によれば、引戸を閉め切る際又は開け切る際には摩擦抵抗力を増大させて制動し、引戸を閉め切る方向又は開け切る方向と逆方向に動かす際には摩擦抵抗力を減少させて軽く移動させることができる構成でありながら、引戸開閉方向に延びて引戸幅方向に離間した一対のブレーキ板と、基体、及び、基体に対して引戸開閉方向にスライド可能な、引戸幅方向外面に引戸を閉め切る際又は開け切る際にブレーキ板の内面と摺動する摺動部が形成されたスライド体からなる２ピース構造のブレーキ体とからなる簡素な構成により、製造コストを低減することができる。
【図面の簡単な説明】
【００１３】
【図１】本発明の実施の形態に係る引戸用ブレーキ装置を上枠及び引戸に取り付けた例についてその要部を拡大して示す斜視図であり、（ａ）は引戸の上部が係合する上枠の引戸開閉方向端部に取り付けたブレーキ体を、（ｂ）は引戸の戸先側端部上面に取り付けたブレーキ板を示している。
【図２】ブレーキ体及びブレーキ板を取り出して示す斜視図である。
【図３】ブレーキ体の分解斜視図である。
【図４】ブレーキ体の底面図であり、（ａ）はスライド体が基体から離間した状態を、（ｂ）はスライド体が基体に当て止めされた状態を示している。
【図５】スライド体が基体に当て止めされた状態のブレーキ体を示す、（ａ）は平面図、（ｂ）は正面図、（ｃ）は制動力調整手段の構成例を示す縦断面図である。
【図６】引戸を閉め切る際における引戸用ブレーキ装置の動作説明図であり、（ａ）はスライド体が基体から離間した状態で引戸を閉方向へ移動させてブレーキ板がスライド体に近づいている状態を、（ｂ）はさらにブレーキ板がスライド体に近づいている状態を、（ｃ）はブレーキ板の内面にスライド体の摺動部が当接している状態を、（ｄ）はブレーキ板とともに移動したスライド体が基体に当て止めされた状態を示している。
【図７】引戸を閉め切った状態から開く際における引戸用ブレーキ装置の動作説明図であり、（ａ）は引戸を閉め切ってスライド体が基体に当て止めされた状態を、（ｂ）は引戸を開方向へ移動させてブレーキ板の内面に摺動部が当接したスライド体がブレーキ板とともにスライドして基体から離間した状態を、（ｃ）はさらに引戸を開方向へ移動させてスライド体の摺動部とブレーキ板の内面とが離れた状態を、（ｄ）はさらに引戸を開方向へ移動させた状態を示している。
【発明を実施するための形態】
【００１４】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、引戸の閉方向（図中矢印Ｄ１参照。）に向かって左方から見た図を正面図とする。
【００１５】
図１（ａ）に示すように、引戸Ｓは、枠体Ｆで仕切られた例えば出入口である開口部Ｅを開閉するものであり、図１及び図２に示すように、本発明の実施の形態に係る引戸用ブレーキ装置１は、引戸Ｓの戸先Ｃ側の端部上面に取付孔９Ａ，９Ｂを利用して取り付けられた支持部材９に支持固定された、引戸開閉方向Ａに延びて引戸幅方向（引戸厚み方向）Ｂに離間した一対のブレーキ板２，２と、引戸Ｓの上部が係合する上枠Ｕの引戸開閉方向Ａ端部に取付板１０の取付孔１０Ａ，１０Ｂを利用して取り付けられた、図１（ａ）のように引戸Ｓを閉方向Ｄ１へ移動させて戸先Ｃを縦枠Ｌに当接させた状態まで閉め切る際に、ブレーキ板２，２の内面２Ａ，２Ａと摺動する摺動部６Ａ，６Ａを有するブレーキ体３とを備えている。
なお、引戸Ｓは、出入口である開口部Ｅを開閉する引戸だけでなく、クローゼットや食器棚等に使用される引戸であってもよい。
【００１６】
図３に示すように、ブレーキ体３は、合成樹脂製の基体４及び基体４に対して引戸開閉方向Ａにスライド可能な合成樹脂製のスライド体５等により構成される。
ここで、スライド体５は、引戸幅方向Ｂに分離した一対の摺動体６，６により構成され、摺動体６，６の引戸幅方向Ｂ外面の基体４側部分を鋼板製のブレーキ板２，２の内面２Ａ，２Ａと摺動する摺動部６Ａ，６Ａとするとともに、摺動体６，６には、それらの基体４側端面に引戸幅方向Ｂ外方へ行くにしたがって基体４に近づく一対の傾斜面６Ｂ，６Ｂが形成される。
また、基体４には、スライド体５（摺動体６，６）側端面に引戸幅方向Ｂ外方へ行くにしたがってスライド体５から遠ざかる、摺動体６，６の傾斜面６Ｂ，６Ｂと当接する（傾斜面６Ｂ，６Ｂと略平行な）一対の傾斜面４Ｂ，４Ｂが形成されるとともに、傾斜面４Ｂ，４Ｂの間に、引戸幅方向Ｂに分離した一対の摺動体６，６間に挿入（嵌合）される突部４Ａが形成される。
【００１７】
基体４は、引戸幅方向Ｂ外面であり引戸開閉方向Ａに延びるガイド面４Ｃ，４Ｃを有しており、基体４の上面（図３では下面）が取付板１０に繋がり一体化される。
また、摺動体６，６は、底面視（平面視）略Ｕ字状の連結体１１の遊端部１１Ａ，１１Ａの基端部側に繋がり一体化されており、連結体１１の引戸幅方向Ｂ内面である被ガイド面１１Ｂ，１１Ｂが基体４のガイド面４Ｃ，４Ｃに対向するように組み付けられ、連結体１１の遊端部１１Ａ，１１Ａがガイドブロック１２の凹部１２Ａに嵌合された状態で、調整ねじ８がガイドブロック１２の螺孔１２Ｂに螺合され、ガイドブロックの引戸幅方向Ｂ外面である被ガイド面１２Ｃ，１２Ｃが取付板１０に立設された引戸開閉方向Ａに延びるガイド部１０Ｃ，１０Ｃの引戸幅方向Ｂ内面に対向する（図５（ａ）も参照。）。
したがって、スライド体５（摺動体６，６）並びに連結体１１及びガイドブロック１２は、基体４及び取付板１０により、これらに対して引戸開閉方向Ａにスライド可能に支持されており、スライド体５（摺動体６，６）は、図４（ａ）に示すような基体４から離間した位置から、図４（ｂ）に示すような基体４に当て止めされた位置との間で引戸開閉方向Ａにスライドすることができる。
【００１８】
図３及び図５に示すように、調整ねじ８の頭部８Ａの側面は、そのねじ部に近くなるほど小径としたテーパ面（円錐面）であり、摺動体６，６の基体４から遠い側の引戸幅方向Ｂ内面も、調整ねじ８の頭部８Ａ側面のテーパ面（円錐面）に外接するテーパ面（円錐面）６Ｃとされる。
したがって、調整ねじ８を締める方向へ回転させることにより摺動体６，６の間隔が広くなって摺動部６Ａ，６Ａ間の長さが長くなり、調整ねじ８を緩める方向へ回転させることにより摺動体６，６の間隔が狭くなって摺動部６Ａ，６Ａ間の長さが短くなる。
このようなスライド体５（摺動体６，６）の引戸幅方向Ｂに分離した部分の間隔を変えることにより制動力を調整する制動力調整手段７を設けることにより、制動力の調整を容易に行うことができる。
なお、取付板１０の長孔１０Ｄは、軸方向へ移動するとともに取付板１０に対して引戸開閉方向Ａへスライドする調整ねじ８の先端との干渉を避けるためのものである。
【００１９】
次に、図６を参照して引戸Ｓを閉め切る際における引戸用ブレーキ装置１の動作を、図７を参照して引戸Ｓを閉め切った状態から開く際における引戸用ブレーキ装置１の動作を説明する。ここで、図６及び図７においては、引戸用ブレーキ装置１の動作説明のために、障子（引戸Ｓ）側のブレーキ板２，２と枠体Ｆ（上枠Ｕ）側のブレーキ体３とを取り出して、これらの底面図（下側から見た図）を示している。
ブレーキ体３の基体４からスライド体５である摺動体６，６が離間した状態で、図６（ａ）から図６（ｂ）のように引戸Ｓが閉方向Ｄ１へ移動し、さらに引戸が閉方向Ｄ１へ移動すると、ブレーキ板２，２の内面２Ａ，２Ａに摺動体６，６の摺動部６Ａ，６Ａが当接し、摺動体６，６が引戸幅方向Ｂ内方へ弾性変形して摺動体６，６がブレーキ板２，２の内面２Ａ，２Ａに挟まれた図６（ｃ）に示す状態となる。
この状態からさらに閉方向Ｄ１へ移動する引戸Ｓには、弾性変形して追従する摺動体６，６から制動力が付与されるとともに、図６（ｄ）に示すようにブレーキ板２，２とともに移動した摺動体６，６の傾斜面６Ｂ，６Ｂが基体４の傾斜面４Ｂ，４Ｂに当て止めされた状態では、引戸幅方向Ｂに分離している摺動体６，６に引戸幅方向Ｂ外方への力が作用するため、ブレーキ板２，２との間の摩擦力が増大して引戸Ｓは急制動される。
【００２０】
図７（ａ）に示す引戸Ｓを閉め切った状態から、引戸Ｓを開方向Ｄ２へ開くと、ブレーキ板２，２の内面２Ａ，２Ａに挟まれた摺動体６，６が基体４に対して開方向Ｄ２にスライドして基体５から離間した図７（ｂ）に示す状態になる。
このように、摺動体６，６が基体４から離間した状態では、摺動体６，６は引戸幅方向Ｂに分離していることから引戸幅方向Ｂへ弾性変形しやすいため、ブレーキ板２，２との間の摩擦力が減少して制動力が小さくなるため引戸Ｓを軽快に移動させることができ、図７（ｃ）及び図７（ｄ）のようにブレーキ板２，２の内面２Ａ，２Ａが摺動体６，６の摺動部６Ａ，６Ａから離れた際には、制動力が無くなるため、さらに引戸Ｓを軽快に移動させることができる。
【００２１】
また、図４に示す一対の摺動体６，６の傾斜面６Ｂ，６Ｂがなす角度Ｈ及び基体４の傾斜面４Ｂ，４Ｂがなす角度Ｈを約９０°としており、したがって、摺動体６の傾斜面６Ｂに沿う水平方向と引戸開閉方向Ａとがなす角度Ｇ及び基体４の傾斜面４Ｂに沿う水平方向と引戸開閉方向Ａとがなす角度Ｇを約４５°としている。
このような傾斜面６Ｂ，６Ｂ及び４Ｂ，４Ｂの角度設定により、前記角度Ｇが大きい場合に生じやすい、制動した引戸Ｓが開方向Ｄ２へ跳ね返る現象や、前記角度Ｇが小さい場合に生じやすい、引戸Ｓを閉めきった後に引戸Ｓがじわじわと開方向Ｄ２へ移動する現象の発生を抑制することができる。
【００２２】
さらに、基体４の傾斜面４Ｂ，４Ｂの間には、上述のとおり、摺動体６，６間に挿入（嵌合）される突部４Ａが形成されていることから、突部４Ａが摺動体６，６間に挿入された状態では、摺動体６，６の引戸幅方向Ｂ内方への移動が抑制されるため、摺動体６，６の引戸幅方向Ｂ外面に形成された摺動部６Ａ，６Ａとブレーキ板２，２の内面２Ａ，２Ａとの摺動による制動力の大きさ（ブレーキの利き）を確保することができる。
その上、摺動体６，６の傾斜面６Ｂ，６Ｂが基体４の傾斜面４Ｂ，４Ｂにより当て止めされ、その衝突後に摺動体６，６の傾斜面６Ｂ，６Ｂが基体４の傾斜面４Ｂ，４Ｂから離れる方向に移動する力が作用したとしても、その際における摺動体６，６（スライド体５）の移動を抑制する制動力が大きくなるため、摺動体６，６とともに移動する引戸Ｓが縦枠Ｌから離れるのを抑制することができる。
【００２３】
さらにまた、図６及び図７に示すように、一対のブレーキ板２，２の内面には、それらの引戸幅方向Ｂの間隔が引戸Ｓを閉め切る際にブレーキ体３に近い方が広くなるテーパ面を形成している。
したがって、このようなテーパ面により、引戸Ｓに作用する制動力が徐々に大きくなるため、制動力をより大きくすることができるとともに、引戸Ｓを閉め切る際に制動される引戸Ｓの動作がより円滑になる。
【００２４】
また、引戸用ブレーキ装置１を、引戸開閉方向Ａに延びて引戸幅方向Ｂに離間した一対のブレーキ板２，２と、基体４、及び、基体４に対して引戸開閉方向Ａにスライド可能な、引戸幅方向Ｂ外面に引戸Ｓを閉め切る際にブレーキ板２，２の内面２Ａ，２Ａと摺動する摺動部６Ａ，６Ａが形成されたスライド体５（摺動体６，６）からなる２ピース構造のブレーキ体３とにより構成していることから、構成が簡素であるため、製造コストを低減することができる。
【００２５】
以上の説明においては、ブレーキ板２，２を引戸Ｓの戸先Ｃ側上面に取り付け、ブレーキ体３を引戸Ｓの上部が係合する上枠Ｕの引戸開閉方向Ａ端部（引戸Ｓの戸先Ｃ側に対応する端部）に取り付ける例を示したが、ブレーキ板２，２を引戸Ｓの戸尻側上面に取り付け、ブレーキ体３を引戸Ｓの上部が係合する上枠Ｕの引戸開閉方向Ａ端部（引戸Ｓの戸尻側に対応する端部）に取り付けてもよい。このように、引戸用ブレーキ装置１を引戸Ｓの戸尻側に装着した場合は、引戸Ｓを開け切る際に摩擦抵抗力を増大させて引戸Ｓが制動される。
あるいは、ブレーキ板２，２を引戸Ｓの上部が係合する上枠Ｕの引戸開閉方向Ａ端部に取り付け、ブレーキ体３を引戸Ｓの戸先Ｃ側若しくは戸尻側の端部上面に取り付けてもよい。
また、スライド体３を引戸幅方向Ｂに分離した一対の摺動体６，６により構成する例を示したが、スライド体３は、引戸幅方向Ｂに分離した部分（引戸幅方向Ｂへ弾性変形しやすい部分）を少なくとも基体４側に有するものであればよい。
【符号の説明】
【００２６】
Ａ  引戸開閉方向
Ｂ  引戸幅方向
Ｃ  戸先
Ｄ１  閉方向
Ｄ２  開方向
Ｅ  出入口（開口部）
Ｆ  枠体
Ｇ  摺動体の傾斜面に沿う水平方向と引戸開閉方向とがなす角度
Ｈ  一対の摺動体の傾斜面がなす角度
Ｌ  縦枠
Ｓ  引戸
Ｕ  上枠
１  引戸用ブレーキ装置
２  ブレーキ板
２Ａ  内面
３  ブレーキ体
４  基体
４Ａ  突部
４Ｂ  傾斜面
４Ｃ  ガイド面
５  スライド体
６  摺動体
６Ａ  摺動部
６Ｂ  傾斜面
６Ｃ  テーパ面（円錐面）
７  制動力調整手段
８  調整ねじ
８Ａ  頭部
９  支持部材
９Ａ，９Ｂ  取付孔
１０  取付板
１０Ａ，１０Ｂ  取付孔
１０Ｃ  ガイド部
１０Ｄ  長孔
１１  連結体
１１Ａ  遊端部
１１Ｂ  被ガイド面
１２  ガイドブロック
１２Ａ  凹部
１２Ｂ  螺孔
１２Ｃ  被ガイド面
【図１】
0005691941.tif 000002
【図２】
0005691941.tif 000003
【図３】
0005691941.tif 000004
【図４】
0005691941.tif 000005
【図５】
0005691941.tif 000006
【図６】
0005691941.tif 000007
【図７】
0005691941.tif 000008